(57)【要約】【課題】肌触りが良好であって、使用時にシート表面を疎水性面から親水性面へ変えることのできる繊維不織布シートの提供。【解決手段】繊維不織布シートは、第１面１１において第２面１２側へ凹となる、繊維交絡によって形成された凹状ライン１８と、第１面１１を形成する第１繊維層２１と、第２面１２を形成する第２繊維層２２と、第１及び第２繊維層２１，２２間に位置する親水性繊維を含む中間繊維層２３とを有する。第１方向Ｘに少なくとも３０％引張されたときに、凹状ライン１８において繊維交絡が解かれて第１面１１の表面に中間繊維層２３の親水性繊維の一部が露出される。【選択図】図３
2019119953.tif 000002
【特許請求の範囲】
【請求項１】
厚さ方向と、第１方向及びそれに直交する第２方向と、前記厚さ方向において対向する第１面及び第２面を有し、繊維を交絡することにより形成された繊維不織布シートにおいて、
前記第１面において前記第２面側へ凹となる、繊維交絡によって形成された凹状ラインと、前記第１面を形成する第１繊維層と、前記第２面を形成する第２繊維層と、前記第１及び第２繊維層間に位置する親水性繊維を含む中間繊維層とを有し、
前記第１方向に少なくとも３０％引張されたときに、前記凹状ラインにおいて繊維交絡が解かれて前記第１面の表面に前記中間繊維層の前記親水性繊維の一部が露出されることを特徴とする繊維不織布シート。
【請求項２】
ウエット状態において、前記第１方向における最大引張強度が３.０〜１０.０Ｎ／２５ｍｍである請求項１に記載の繊維不織布シート。
【請求項３】
ウエット状態において、前記第１方向における最大伸度は２．０〜３．０倍、前記第２方向における最大伸度は１．２〜１．８倍である請求項１又は２に記載の繊維不織布シート。
【請求項４】
前記第１繊維層が主として疎水性繊維から構成されている請求項１〜３のいずれかに記載の繊維不織布シート。
【請求項５】
前記第１繊維層の表面には、撥水処理が施されている請求項１〜４のいずれかに記載の繊維不織布シート。
【請求項６】
前記凹状ラインによって形成された図柄部をさらに有する請求項１〜５のいずれかに記載の繊維不織布シート。
【請求項７】
前記凹状ラインは、前記第２方向へ延びる第１部分と前記第１方向へ延びる第２部分とを有し、前記第２部分において前記第２方向へ沿って配向された単位面積当たりの繊維数が、前記第１部分において前記第２方向へ沿って配向された単位面積当たりの繊維数よりも多い請求項１〜６のいずれかに記載の繊維不織布シート。
【請求項８】
前記親水性繊維が、レーヨン、パルプ、コットンのいずれかの繊維である請求項１〜７のいずれかに記載の繊維不織布シート。
【請求項９】
ドライ状態又はウエット状態で使用するワイプスシートである請求項１〜８のいずれかに記載の繊維不織布シート。
【発明の詳細な説明】
【技術分野】
【０００１】
本発明は、繊維を交絡することによって形成された繊維不織布シートに関する。
【背景技術】
【０００２】
従来、繊維を交絡することによって形成された繊維不織布シートは、公知である。例えば、特許文献１には、パルプ繊維と熱融着繊維とを含み、繊維の交絡によって形成された繊維ウエブの製造工程において、加熱加圧下でエンボス（デボス）加工することによって形成された凹凸模様を備えた繊維不織布シートが開示されている。
【先行技術文献】
【特許文献】
【０００３】
【特許文献１】特開２００５−１４６４５１号公報（Ｐ２００５−１４６４５１Ａ）
【発明の概要】
【発明が解決しようとする課題】
【０００４】
特許文献１に開示の繊維不織布シートにおいては、加熱加圧下でエンボス加工されることによって賦形された凹凸模様を有することから、意匠性に優れるとともに、液体を吸収した後であっても、凹凸模様の形状を維持することができる。また、繊維不織布シートは、熱融着性の合成繊維を含む疎水性繊維と、パルプやレーヨン等の親水性繊維との混合からなる繊維ウエブから形成されており、薬剤等が含浸されたウエットワイプスである。
【０００５】
しかしながら、加熱加圧された凹状部分において熱融着繊維が熱融着されて硬くなり一部フィルム化するのでシートにおいて最も硬化した部分となり、繊維不織布シート本来の柔軟性、ドレープ性が損なわれて肌触りが悪くなるとともに、シートの変形に追従することができずに破れやすくなる。特に、かかる繊維不織布シートを身体に付着した排泄物を拭き取るためのワイプスシートとして使用した場合には、硬化した凹状部分が乳幼児等の被使用者の肌に当たって不快感を与えるとともに、一部が破れて母親等の使用者の指先が排泄物で汚れるおそれがある。
【０００６】
また、繊維不織布シートはウエットワイプスであるから、疎水性繊維と混合された親水性繊維がシートに含浸された抗菌作用等を有する薬剤等を吸収・保持しているが、シート表面に親水性繊維が位置する場合には外気に曝されて乾燥してしまい、含浸液が蒸発するおそれがある。また、パルプ繊維等の親水性繊維は、合成繊維等の疎水性繊維に比べて肌触りが悪い。
【０００７】
一方、かかる含浸液の蒸発を抑制するために、親水性繊維全体をシートの両面を形成する繊維層の間に介在した場合には、シートの両面が疎水性面となる。したがって、比較的に軽い拭き取り力で排泄物等の汚れを拭き取るときには、親水性繊維に吸収・保持された薬剤等がシート表面に滲出し難く、シートの両面を形成する繊維間隙に保持された含浸液のみで拭き取ることになるので、効果的かつ衛生的に拭き取ることができない。
【０００８】
本発明の課題は、肌触りが良好であって、使用時にシート表面を疎水性面から親水性面へ変えることのできる繊維不織布シートの提供に関する。
【課題を解決するための手段】
【０００９】
前記課題を解決するために、本発明は、厚さ方向と、第１方向及びそれに直交する第２方向と、前記厚さ方向において対向する第１面及び第２面とを有し、繊維を交絡することにより形成された繊維不織布シートに関する。
【００１０】
本発明に係る繊維不織布シートは、前記第１面において前記第２面側へ凹となる、繊維交絡によって形成された凹状ラインと、前記第１面を形成する第１繊維層と、前記第２面を形成する第２繊維層と、前記第１及び第２繊維層間に位置する親水性繊維を含む中間繊維層とを有し、前記第１方向に少なくとも３０％引張されたときに、前記凹状ラインにおいて繊維交絡が解かれて前記第１面の表面に前記中間繊維層の前記親水性繊維の一部が露出されることを特徴とする。
【００１１】
本発明に係る繊維不織布シートは、以下の好ましい実施の態様を含む。
（１）ウエット状態において、前記第１方向における最大引張強度が３.０〜１０.０Ｎ／２５ｍｍである。かかる場合には、使用者が、使用する前に、シートを第１方向へ引っ張ったときに凹状ラインが破断するおそれはない。
（２）ウエット状態において、前記第１方向における最大伸度は２．０〜３．０倍、前記第２方向における最大伸度は１．２〜１．８倍である。かかる場合には、使用者が、使用する前に、シートを第１方向又は第２方向へ引っ張ったときに、凹状ラインが伸びて、凹状ラインの幅を拡げることができる。
（３）前記第１繊維層が主として疎水性繊維から構成されている。かかる場合には、中間層に位置する親水性繊維に吸収・保持された薬液の蒸発を抑制することができる。
（４）前記第１繊維層の表面には、撥水処理が施されている。かかる場合には、中間層に位置する親水性繊維に吸収・保持された薬液の蒸発をより抑制することができる
（５）前記凹状ラインによって形成された図柄部をさらに有する。かかる場合には、図柄部は装飾域として機能し、シートの意匠性が向上する。
（６）前記凹状ラインは、前記第２方向へ延びる第１部分と前記第１方向へ延びる第２部分とを有し、前記第２部分において前記第２方向へ沿って配向された単位面積当たりの繊維数が、前記第１部分において前記第２方向へ沿って配向された単位面積当たりの繊維数よりも多い。かかる場合には、第２部分の第２方向に対する引張強度が比較的に高くなり、第２方向を拭き取り方向とする場合において、第２部分が変形するおそれはない。
（７）前記親水性繊維が、レーヨン、パルプ、コットンのいずれかの繊維である。かかる場合には、親水性繊維において薬液を吸収・保持することができる。
（８）ドライ状態又はウエット状態で使用するワイプスシートである。かかる場合には、図柄部は、シートに意匠性を付与する装飾域だけではなく、拭き取り域として機能しうる。
【発明の効果】
【００１２】
本発明に係る繊維不織布シートによれば、第１方向に引っ張ることによって、凹状ラインにおいて繊維交絡が解かれて第１面の表面に中間繊維層の親水性繊維の一部が露出することから、シート表面を疎水性面から親水性面へと変えることができ、親水性繊維に吸収・保持された薬液等の蒸発を抑制するとともに、ウエットワイプスとして使用する場合には、汚れを効果的かつ衛生的に拭き取ることができる。
【図面の簡単な説明】
【００１３】
【図１】本発明に係る繊維不織布シートの一例として示す、ワイプスシートの斜視図。
【図２】ワイプスシートの平面図。
【図３】（ａ）図２の一点鎖線ＩＩＩ（ａ）−ＩＩＩ（ａ）に沿う断面図。（ｂ）図２のＩＩＩ（ｂ）−ＩＩＩ（ｂ）線に沿う断面図。
【図４】使用者が、ワイプスシートの両側を把持して第１方向へ引っ張った様子を示す図。
【図５】（ａ）第１方向へ引っ張った後のワイプスシートの平面図。（ｂ）図５（ａ）の一点鎖線Ｖ（ｂ）−Ｖ（ｂ）に沿う断面図。
【図６】（ａ）図３（ｂ）の一点鎖線ＶＩ（ａ）で囲んだ領域の一部拡大図。（ｂ）図５（ｂ）の一点鎖線ＶＩ（ｂ）で囲んだ領域の一部拡大図。
【図７】引張試験の測定の様子を示す図。
【図８】ワイプスシートの製造工程の一部における、水流噴射工程の斜視図。
【図９】（ａ）サクションドラムにおいて、水流が噴射される前の線状凸部上の繊維ウエブの拡大図。（ｂ）サクションドラムにおいて、水流が噴射された後の線状凸部上の繊維ウエブの拡大図。
【発明を実施するための形態】
【００１４】
図１〜図３を参照すると、本発明の繊維不織布シートの一例として示すワイプスシート（拭き取りシート、ワイプス用不織布）１０は、繊維を交絡することによって形成された嵩高かつ柔軟なシートであって、互いに交差する第１方向Ｘと第２方向Ｙと、厚さ方向Ｚと、厚さ方向Ｚにおいて互いに対向する第１及び第２面１１，１２とを有する。本明細書において、第１面１１を拭き取り面、第２面１２を非拭き取り面ともいう。
【００１５】
ワイプスシート１０は、略矩形状であって、第２方向Ｙにおいて互いに対向して第１方向Ｘへ延びる第１及び第２端縁１０ａ，１０ｂと、第１方向Ｘにおいて互いに対向して第２方向Ｙへ延びる第１及び第２側縁１０ｃ，１０ｄとからなる外周縁を有する。ワイプスシート１０の形状は、図示例に限らず、例えば、正方形、円形、楕円形、三角形、多角形等の各種公知の形状を有していてもよく、サイズもその用途に応じて種々選択することができる。
【００１６】
ワイプスシート１０は、ドライ状態又はウエット状態で使用するものであって、例えば、お尻り拭きシート、清掃用シート、使い捨ておしぼり等に用いることができる。また、本発明に係る繊維不織布シートは、ワイプス用に限らず、生理用ナプキンや使い捨ておむつの肌対向面側に配置される表面シート等の衛生用品を構成するシート材料として好適に用いることができる。
【００１７】
ワイプスシート１０をウエットワイプスとして使用する場合には、それに含浸させる薬剤として、例えば、界面活性剤、保湿剤、肌に清涼感を与えるためのエタノール等の清涼感付与剤、エモリエント剤、ＰＨ調整剤、香料、酸化防止剤、キレート剤、植物エキス、褐色防止剤、消炎剤、皮膚賦活剤、収斂剤などを１種または２種以上含めたものを使用することができる。
【００１８】
図３を参照すると、ワイプスシート１０は、第１面１１側を形成する第１繊維層２１と、第２面１２側を形成する第２繊維層２２と、第１繊維層２１と第２繊維層２２との間に位置する中間繊維層（第３繊維層）２３とを含む。第１繊維層２１、第２繊維層２２及び中間繊維層２３は、それらを構成する繊維どうしが三次元的に互いに交絡されて複合化された多層構造を有する。
【００１９】
第１繊維層２１及び第２繊維層２２には、親水性繊維と合成繊維との混合繊維ウエブを用いることができる。親水性繊維の材料としては、吸水繊維が好ましく、さらに好ましくは、レーヨン繊維等の再生繊維、コットン繊維等を用いることができる。合成繊維としては、ポリエステル系繊維、例えば、ポリエチレンテレフタレート（ＰＥＴ）のほか、ポリオレフィン系繊維、例えば、ポリプロピレン（ＰＰ）、ポリエチレン（ＰＥ）の各繊維およびこれらを用いた芯鞘型の複合繊維を用いることができる。複合繊維の鞘部分を形成する材料には、芯部分を形成する材料に比べて溶融温度の低いものが使用される。
【００２０】
かかる芯鞘型の複合繊維としては、例えば、ポリエチレンとポリプロピレン、ポリエチレンとポリエステル、ポリプロピレンとポリエステルの組み合わせ等がある。「合成繊維」とは、その繊維自体の材料が疎水性を有するものであって、その材料を親水化剤で処理したものも含まれる。その材料からなる繊維の親水化処理としては、繊維表面に親水化剤（油剤）を付着したもの、又はその繊維内に親水化剤（油剤）を含有させたものが挙げられる。
【００２１】
本実施形態において、第１及び第２繊維層２１，２２には、好ましくは、レーヨン繊維とＰＥＴ（ポリエチレンテレフタレート）繊維とを２０：８０〜８０：２０の割合（質量％）で混同した繊維ウエブから形成されている。このように、熱可塑性樹脂繊維であるＰＥＴ繊維のほかに、再生繊維であるレーヨン繊維を混合することによって、図柄域４０を形成する凹状ライン１８の繊維量が少なくても一定量の液の馴染み易さ確保することができる。ＰＥＴ繊維は、合成繊維の中で最も生産量が多いポリエステル系繊維の一種であって、強度性、耐熱性、耐水性、耐酸性、耐アルカリ性等に優れ、ワイプスシートのシート材料として好適である。
【００２２】
中間繊維層２３は、レーヨン、パルプ、コットン等の親水性繊維、好ましくは、含有率が１０〜１００重量％のパルプ繊維から形成され、使用されるパルプ繊維は一般的に使用される広葉樹及び針葉樹の木材繊維のほかに、木材パルプ繊維以外の植物繊維や合成繊維（好ましくは、親水化処理されたもの）などを組み合わせることができる。パルプ繊維は、繊維が短く、単位面積当たりの繊維本数が多くなることから、中間繊維層２３の白色度が比較的に高くなって、図柄域４０の視認性を高めることができる。また、パルプ繊維の他に、マニラ麻、楮、三椏、リンターパルプを混合してもよい。
【００２３】
第１及び第２繊維層２１，２２は主として疎水性の繊維から構成されていることから疎水性層、中間繊維層２３は、主として親水性繊維から構成されていることから、親水性層といえる。
【００２４】
ワイプスシート１０の厚さ寸法Ｄ１は０．３〜１．０ｍｍ、質量は４０〜６０ｇ／ｍ２、見掛け密度は０．０３〜０．０９ｇ／ｃｍ３である。ワイプスシート１０の厚さ寸法Ｄ１の測定には、厚さ測定器（ＰＥＡＣＯＣＫ社製、測定面φ４４ｍｍ、測定圧３ｇ／ｃｍ３）を使用した。
【００２５】
第１及び第２繊維層２１，２２に使用されるレーヨン繊維及びＰＥＴ繊維の平均繊度は１．５〜２．５ｄｔｅｘ、また、レーヨン繊維及びＰＥＴ繊維の平均繊維長は、２０〜５０ｍｍ、好ましくは、３５〜４５ｍｍである。パルプ繊維の平均繊維長は、１〜１０ｍｍ、好ましくは、２〜５ｍｍである。ワイプスシート１０の第１及び第２面を形成する第１及び第２繊維層２１，２２の構成繊維の平均繊度、平均繊維長を中間繊維層２３の構成繊維よりも大きくすることによって、地合い（繊維のムラ）が良好となって、図柄域４０を構成する凹状ライン１８の繊維量の差を抑えて、所要の視認性及び形状安定性を確保することができる。
【００２６】
図２及び図３を参照すると、ワイプスシート１０は、第１面１１において第２面１２側へ凹となる凹状ライン１８から形成された図柄域４０を有する。凹状ライン１８は、繊維の交絡によって形成されており、有底の底部１８ａと、底部１８ａを囲む両側壁部１８ｂ，１８ｂとを有する。
【００２７】
「凹状ラインが有底である」とは、凹状ライン１８の延在方向に連続した開孔が形成されてないことを意味し、流体噴射工程における繊維の再配向によって形成された大小様々な繊維間隙を有するものであっても、その延在方向に連続する開孔が形成されていなければ有底であるといえる。このように、凹状ライン１８が有底であることから、例えば、ワイプスシート１０をお尻拭きシートに使用した場合には、拭き取った後に凹状ライン１８に入り込んだ排泄物が使用者の指に付着することはない。
【００２８】
図３（ｂ）を参照すると、ワイプスシート１０は、凹状ライン１８の底部１８ａに位置する低密度領域５１と、低密度領域５１の少なくとも両側に位置する低密度領域５１よりも繊維密度が高い高密度領域５２と、低密度領域５１よりも繊維密度が高く、かつ、高密度領域５２よりも繊維密度の小さい中密度領域５３とを有する。すなわち、凹状ライン１８の底部１８ａにおいて最も繊維密度が低く、底部１８ａの外周縁を囲むように、少なくとも両側に位置する部分には最も繊維密度の高い高密度領域５２が位置している。
【００２９】
ワイプスシート１０は、このような繊維密度差を有し、低密度領域５１からなる凹状ライン１８の底部１８ａを囲むように高密度領域５２が位置して密度差によるコントラストが形成されている。外観においても繊維の疎密によって凹状ライン１８（の底部１８ａ）の外周縁を縁取りするように高密度領域５２が色濃く視認されて、より凹状ライン１８の輪郭がはっきりと視認されうる。
【００３０】
また、高密度領域５２は、第２面１２側において中密度領域５３よりも外方へ突出した突出部分５４を有している。このように、高密度領域５２が第２面１２側において外方へ突出した立体形状を有していることから、使用者が凹状ライン１８が形成されていない第２面１２側から視た場合であっても、凹状ライン１８の輪郭を把握することができる。したがって、高密度領域５２と低密度領域５１とによる密度差による色の濃淡によるコントラストと相俟って、第１面１１のみならず第２面１２からも凹状ライン１８の輪郭をよりはっきりと視認させることができる。
【００３１】
ワイプスシート１０がウエットワイプスの場合には、第１繊維層２１と第２繊維層２２との間に介在された中間繊維層２３に高い吸水性を有するパルプ繊維が位置することによって、製品の使用する前にパルプ繊維が外部に露出されず、パルプ繊維に吸収された薬液が蒸発することはなく、薬液の保存安定性に優れる。
【００３２】
ワイプスシート１０の凹状ライン１８の底部１８ａ、すなわち、低密度領域５１に位置するパルプ繊維の含有率（重量％）は、高密度領域５２及び中密度領域５３のパルプ繊維の含有率（重量％）よりも小さくなっている。低密度領域５１のパルプ繊維の含有率が比較的に小さいことから、比較的に保液性が低いといえるが、凹状ライン１８の底部１８ａは直接的に被拭き取り面に接触する部分ではないので高い保液性を要さず、むしろ他の領域５２，５３に比べてドライな状態であることによって引張強度が向上して、より破れ難くなっている。
【００３３】
＜パルプ繊維の繊維密度の測定方法＞
剃刀等の切断具でワイプスシート１０の一部をカットしてサンプルとし、サンプルのシート切断面を市販の走査電子顕微鏡（例えば、（株）キーエンス社製のリアルサーフェスビュー顕微鏡ＶＥ−７８００（商品名））を用いて拡大観察した。ワイプスシート１０は、図柄域４０の凹状ライン１８と交差するように、第２方向Ｙ（製造工程における機械方向ＭＤ）と直交する第１方向Ｘへ延びるカットラインに沿ってカットした。また、シート切断面に現れる繊維が２０〜７０本程度計測できるように、突出部分５４を頂部、高密度領域５２の厚さ方向Ｚにおける中点を中心として７０〜３００倍に拡大して観察し、低密度領域５１，高密度領域５２及び中密度領域５３の各領域において、一定面積（約０．５ｍｍ２）当たりにおけるパルプ繊維の断面数を数えた。
【００３４】
次に、測定値を１．０ｍｍ２当たりのパルプ繊維の断面数に換算した値を繊維密度とした。ワイプスシート１０のカットラインの位置を変えて複数のサンプルを得て、各サンプルについて同様の測定を３回行い、その平均を各領域のパルプ繊維の密度とした。
【００３５】
図柄域４０は、互いに異なるデザインからなる第１図柄部４１と第２図柄部４２とを有する。第１図柄部４１は、凹状ライン１８から形成された、略円形状の外形線４１Ａと、外形線４１Ａに囲まれた略星形状の図柄４１Ｂとを有する。第２図柄部４２は、略楕円状の外形線４２Ａと、外形線４２Ａに囲まれた、複数の文字が第２方向Ｙに並ぶ複数列に配置されてなる図柄４２Ｂとを有する。第１図柄部４１と第２図柄部４２とは、第１方向Ｘの略中央において並んで位置している。
【００３６】
図柄域４０は、さらに、第１及び第２図柄部４１，４２の一部から形成された第３図柄部４３とハート形の比較的に小さな第４図柄部４４とをさらに有する。第１及び第２図柄部４１，４２は、第１面１１において比較的に大きな面積を有し、それ単独で完全なデザイン性を発揮して使用者に印象付けることができるものであるから主たる図柄であるといえる。一方、第３図柄部４３は不完全であってそれ単独で任意のデザイン性を発揮するものではなく、また、第４図柄部４４は比較的に小さくそれ単独では使用者に印象付けるようなデザイン性を発揮するものとはいえないので、第３及び第４図柄部４３，４４は、副次的な図柄であるといえる。
【００３７】
第１及び第２図柄部４１，４２は、独立かつ閉鎖した外形線４１Ａ，４２Ａを有し、外形線４１Ａ，４２Ａはワイプスシート１０の外周縁から離間して位置している。ここで、第１及び第２図柄部４１，４２の外形線４１Ａ，４２Ａが独立しているとは、織生地の地模様のように布地の外周縁まで延びてその外形状全体を把握することのできない連続模様ではなく、ワイプスシート１０の外周縁から離間して位置し、完全に独立したデザイン性を有するものを意味する。したがって、例えば、第３図柄部４３のように、外形線４３Ａがシート外周縁にまで到達して全体的なデザインを把握することができないものは、独立した外形線には該当しない。
【００３８】
また、第１及び第２図柄部４１，４２の外形線４１Ａ，４２Ａが閉鎖しているとは、外形線４１Ａ，４２Ａが図柄４１Ｂ，４２Ｂを囲むように連続的又は非連続的に延びていることを意味する。外形線４１Ａ，４２Ａは、図柄４１Ｂ，４２Ｂを囲んだ態様を有する限りにおいては、円形、楕円形、三角形、多角形等の各種公知の形状を有していてもよい。
【００３９】
第１及び第２図柄部４１，４２の図柄４１Ｂ，４２Ｂは、一見して使用者に認識されるようなデザイン性を有するものであることが好ましく、図示例のほかに、アニメや漫画のキャラクター、企業の宣伝用のロゴや各種公知の意匠デザイン、文字、図形、記号並びにそれらの組み合わせによるメッセージ性のあるデザイン等を含む。文字には、アルファベット文字、平仮名文字、カタカナ文字、漢字及び諸外国語の文字（例えば、インドネシア語の文字）等を含む。
【００４０】
ワイプスシート１０において、第１及び第２図柄部４１，４２は立体的な形状を有する主たるデザイン領域であるとともに、排泄物や粉塵を拭き取るための拭き取り領域ともいえる。すなわち、ワイプスシート１０を使用するときには、第１面１１を拭き取り面として、身体やテーブル等の被拭き取り面に付着した汚れを凹状ライン１８の両側壁部１８ｂの第１面１１側の端縁（エッジ）１８ｃを利用して汚れを掻き取るように効果的に拭き取ることができる。
【００４１】
使用者が第１図柄部４１又は第２図柄部４２を指で押さえて被拭き取り面に付着した汚れを効率的に拭き取るためには、第１及び第２図柄部４１，４２は所要の大きさを有することが好ましく、例えば、ワイプスシート１０の表面積の少なくとも１０％以上の面積を有することが好ましい。一方、第４図柄部４４は、比較的に小さな面積を有するものであるから、主たる拭き取り域として機能するものではない。
【００４２】
通常、ワイプスシートには、嵩高性及び肌触り性を考慮して、水流交絡処理によって形成されたスパンレース繊維不織布が好適に使用され、そのデザイン性や拭き取り性を向上させるために、シート表面に繊維交絡によってシート表面から全体的に隆起した立体的な図柄を付与したり、幾何学模様やレース模様等の凹凸模様を付与することは知られている。
【００４３】
ワイプスシートにシート表面から隆起した立体的な図柄を付与した場合には、印刷による図柄に比べてよりデザイン性が向上するとともに、隆起した外周縁部によって汚れを拭き取ることができる。しかしながら、図柄自体が隆起状を有することから、拭き取り時に被拭き取り面に摺接され、摩擦によって図柄部の形態が崩れてしまうおそれがある。
【００４４】
一方、ワイプスシートに連続した凹凸模様を付した場合には、図柄として完全に独立したものではないことから、使用者に対して強くそのデザインを印象付けることができない。また、製造時に流体によって機械方向へ連続して付与されるものであるから、完全に独立した態様を有することによって初めてその意匠性を発揮しうるもの、例えば、キャラクターや文字、記号等の高いデザイン性やメッセージ性を有するものを採用することはできない。
【００４５】
さらに、ワイプスシートに熱エンボス（デボス）処理を施すことによって、複数の凹状ラインからなる図柄部を形成する場合もあるが、かかる場合には、熱エンボス加工によって構成繊維が熱溶着されて凹状ライン内が比較的に硬くなってしまい、スパンレース不織布本来の柔軟性や風合いが損なわれる。また、乳幼児のお尻り拭きシートとして使用した場合には、エンボス加工された部分が肌に当たって不快感や刺激を与えるおそれがあるとともに、破れやすくなる。
【００４６】
本実施形態に係るワイプスシート１０においては、図柄域４０を形成する凹状ライン１８が、繊維の交絡によって形成されたものであることから、熱エンボス処理によって形成される場合に比べて不織布全体として柔軟であって良好な肌触りを有し、スパンレース不織布独特のドレープ性を維持することができる。また、第１及び第２図柄部４１，４２が、独立した外形線４１Ａ，４２Ａを有することから、完全に独立した態様を有するデザインを採用することができ、シート外周縁まで延びる単なる連続模様に比べて、意匠性に優れて美的外観を向上させることができる。
【００４７】
図柄域４０自体が隆起する場合には、光が乱射してその外形輪郭がぼやけるおそれがあるが、それが凹状ライン１８によって形成されていることから、使用者に対してその外形輪郭をより鮮明に把握させることができる。また、拭き取り時には凹状ライン１８以外の部分が被拭き取り面に直接摺接されるので、摩擦によって凹状ライン１８の形状が崩れて図柄域４０が大きく変形されることはない。
【００４８】
第１及び第２図柄部４１，４２においては、外形線４１Ａ，４２Ａが閉鎖状であって、外形線４１Ａ，４２Ａに囲まれるように図柄４１Ｂ，４２Ｂが配置されている。図柄４１Ｂ，４２Ｂが外形線４１Ａ，４２Ａに囲まれていることによって、使用者が引っ張ったり揉み解したりしてワイプスシート１０を変形させた場合であっても、外形線４１Ａ，４２Ａを起点として変形するので、図柄４１Ｂ，４２Ｂはその形状を維持することができる。また、拭き取り時において被拭き取り面を比較的に強く擦って外形線４１Ａ，４２Ａの形状が崩れるとしても、それらに囲まれた図柄４１Ｂ，４２Ｂの形状が崩れるのを抑制することができる。
【００４９】
また、主たる拭き取り域である第１及び第２図柄部４１，４２の周辺には、第３及び第４図柄部４３，４４が位置している。したがって、ワイプスシート１０が揉み解されたときには、第３及び第４図柄部４３，４４が起点となって変形し、中心に位置する第１及び第２図柄部４１，４２の変形を抑制しうるといえる。
【００５０】
第１及び第２図柄部４１，４２は、拭き取り性及び美観の観点から、曲状の凹状ライン１８を有することが好ましい。本実施形態においても、外形線４１Ａ，４２Ａが曲状であって、図柄４１Ｂ，４２Ｂも曲状部分を有している。このように、第１及び第２図柄部４１，４２が曲状の凹状ライン１８を有することによって、柔軟で肌当たりの良い印象を与えることができるとともに、被拭き取り面の形状に合わせて変形し易く、例えば、被拭き取り面の幅狭かつ曲状の溝に沿って第１及び第２図柄部４１，４２を変形して汚れを拭き取ることができる。
【００５１】
使用者は、第１面１１側に凹状ライン１８からなる図柄域４０が位置することによって、第１面１１が拭き取り面であると容易に認識することができる。したがって、図柄域４０は、使用者に対して第１面１１を拭き取り面として使用するように誘導する機能も有するといえる。
【００５２】
既述のとおり、図柄域４０のうちの第１及び第２図柄部４１，４２が拭き取り域として機能しうるが、第３及び第４図柄部４３，４４についても凹状ライン１８から形成されていることから、一定程度の拭き取り性を有する。したがって、使用者は、拭き取り時において汚れの大小に応じて、第１〜第４図柄部４１〜４４のうちの最適なものを適宜選択して使用することができる。
【００５３】
第１及び第２図柄部４１，４２において、外形線４１Ａ，４２Ａを形成する凹状ライン１８は、図柄４１Ｂ，４２Ｂを形成する凹状ライン１８よりも全体として幅広になっている。外形線４１Ａ，４２Ａが比較的に幅広であることによって、使用者の注意を惹きつけて、それに囲まれた図柄４１Ｂ，４２Ｂをより引き立てることができる。また、拭き取りの際に外形線４１Ａ，４２Ａによって大まかに汚れを拭き取った後に、その内部に位置する比較的に幅狭であって密に集合した図柄４１Ｂ，４２Ｂによってしつこい汚れを掻き取ることができる。
【００５４】
図柄域４０は、デザインの異なる複数の第１〜第４図柄部４１−４４を有することによって、ワイプスシート１０の第１方向Ｘの寸法を２等分する第１仮想線Ｐと第２方向Ｙの寸法を２等分する第２仮想線Ｑとに関して非対称の形状を有する。したがって、使用者に対して、ワイプスシート１０の縦方向及び幅方向（横方向）を認識させることができる。このように、ワイプスシート１０の縦横を認識することができる限りにおいて、図柄域４０は、第１仮想線Ｐと第２仮想線Ｑとのいずれか一方に関して非対称であればよい。
【００５５】
ワイプスシート１０においては、第２方向Ｙが製造工程における機械方向、第１方向Ｘが機械方向に交差する方向にそれぞれ対応しており、構成繊維は、主として第２方向Ｙへ配向されている。したがって、拭き取り方向は繊維配向する方向であってシート強度が第１方向Ｘよりも高い第２方向Ｙに沿うことが好ましく、図柄域４０を非対称に配置することによって、第２方向Ｙが拭き取り方向（縦方向）であると認識させることができる。また、第２図柄部４２の図柄４２Ｂのように、第２方向Ｙが縦方向となるように意匠要素を配置することによって、第２方向Ｙへ拭き取るように誘導させることもできる。かかる場合には、第２図柄部４２は、その第１方向Ｘの寸法を２等分する仮想線（図示せず）に対して非対称であるといえる。
【００５６】
再び、図２を参照すると、図柄域４０を形成する凹状ライン１８は、第２方向Ｙへ延びる第１部分８１と、第１方向Ｘへ延びる第２部分８２とを有する。第２部分８２における繊維配向は第２方向Ｙであって、第２部分８２において第２方向Ｙへ沿って配向された単位面積当たりの繊維数が、第１部分８１において第２方向Ｙへ沿って配向された単位面積当たりの繊維数よりも多くなっている。このように、第２部分８２においては、繊維配向が第２方向Ｙであるから第２方向Ｙを拭き取り方向とした場合には所要の引張強度を発揮して、その凹形状が崩れることはない。
【００５７】
ここで、繊維配向とは、ワイプスシート１０の平面視において、繊維が流れている方向であって、「第２部分８２の繊維配向が第２方向である」とは、第２部分８２を構成する繊維の総重量のうち、１００％が第２方向に繊維配向されているもののほかに、５０％以上が第２方向Ｙに対して−４５°〜＋４５°の範囲で繊維配向性を有するものを含む。かかる繊維配向は、この種の分野において公知の方法、例えば、ＴＡＰＰＩ標準法Ｔ４８１の零距離引張強さによる繊維配向性試験法に準じた測定方法によって測定することができる。また、簡易的な方法として、後記の引張試験機を使用して第２部分８２の第１方向Ｘと第２方向Ｙとにおける引張強度比（第１方向Ｘ／第２方向Ｙ）から繊維配向を測定してもよい。
【００５８】
第１部分８１は、それが直線状である場合には、第１仮想線Ｐに沿って延びる部分、第２部分８２は、それが直線状である場合には、第２仮想線Ｑに沿って延びる部分である。一方、例えば、第１及び第２図柄部４１，４２の外形線４１Ａ，４２Ａのように曲状を有する場合には、第１部分８１は、第１方向Ｘへ凸となる部分であって、第２部分８２は、第２方向Ｙへ凸曲した部分である。
【００５９】
例えば、第１及び第２図柄部４１，４２の図柄４１Ｂ，４２Ｂとして第２方向Ｙを上下とするキャラクターデザイン等を採用する場合には、その上下部分（例えば、頭部と胴体）の外形輪郭や上下の寸法バランスが崩れることはなく、拭き取り後や、例えば、第２方向Ｙへ摩擦抵抗が生じるように包装パッケージから取り出した場合においても、そのデザイン形状を維持することができる。
【００６０】
凹状ライン１８の第１部分８１においても、繊維の配向する方向である第２方向Ｙを拭き取り方向とした場合には、その形状が崩れ難く、その幅寸法が狭くなる傾向がある。一方、第１方向Ｘを拭き取り方向とした場合であって、凹状ライン１８に繊維の配向する方向と交差する方向である第１方向Ｘへ引っ張る力が作用したときには、第１部分８１の幅寸法が拡がる。したがって、図柄４１Ｂ，４２Ｂとして第２方向Ｙを上下とするキャラクターデザインを採用する場合には、拭き取り後や第１方向Ｘ或いは第２方向Ｙへ摩擦抵抗が生じるように包装パッケージから取り出した場合には、その幅寸法が拡げられるような態様となるが、その外観イメージは維持されて、むしろ乳幼児の好む丸みのあるようなキャラクターデザインへと変化させることができる。
【００６１】
図示していないが、第１及び第２図柄部４１，４２の図柄４１Ｂ，４２Ｂとして、図形デザインと文字との観念的な組み合わせからなるものを採用してもよい。例えば、キャラクターが両手にハート状のプラカードを持った図形デザインにおいて、プラカード内に「大好き！／Ｉ  ＬＯＶＥ  ＹＯＵ！」等の文字を配置することによって、図形デザインと文字とが互いに対応して共通の観念を想起させることから、意匠性が向上して使用者の購買意欲を惹起することができるとともに、被使用者である乳幼児の興味を引きつけることができる。
【００６２】
また、例えば、笑顔のキャラクターデザインとともに、「おはよう」「ごちそうさま」等の使用者である母親と、被使用者である乳幼児とが交わす日常会話の一部からなる文字との組み合わせからなるデザインを採用することもできる。このように、例えば、乳幼児が未だに覚えていない又は覚えたばかりの言葉を図柄４１Ｂ，４２Ｂに採用し、使用時において親子で復唱することによって該言葉を乳幼児の記憶に定着させることができる。このように、図柄域４０は、ワイプスシート１０を通じて親子間で会話が生まれて良好なコミュニケーションを図ることのできるツールの一つとしての機能を備えることもできる。
【００６３】
以上のように、ワイプスシート１０は、視認性が高く独自性に優れたデザインを有するものであることから、従来のワイプスシートとは異なり、図柄部分がシームレスに形成された高級なハンカチーフのような美的外観を有する。したがって、他製品との差別化を実現することによって、使用者が比較的に女性の若年層であっても、躊躇することなく、むしろ積極的にワイプスシート１０を外出時に携帯して使用することができる。また、図柄域４０として企業のロゴデザインを採用した場合には、使用者に対して効果的にブランドを認知させることができ、優れた宣伝広告機能を発揮しうる。したがって、ワイプスシート１０は、ワイプスとしての基本的機能と消費者の購入意欲を惹起するような情緒的な価値との両方を併せ持つものといえる。
【００６４】
図示していないが、ワイプスシート１０を使用する場合には、非拭き取り面である第２面１２を内側にして２つに折り曲げて使用する場合がある。かかる使用態様においては、折り重ねられた部分の第２面１２どうしが互いに接触し、拭き取り操作をしている間に接触部分がズレて、拭き取り面に対して十分に力が作用しないおそれがある。ワイプスシート１０では、第２面１２側に位置する高密度領域５２の突出部分５４が対向面に引っ掛かってそれらの折り重ねられた部分の摺動を妨げるストッパーとして機能し、拭き取り操作中におけるかかるシートどうしのズレを抑制し、拭き取り面に対して十分に力を伝えて拭き取りを行うことができる。
【００６５】
本実施形態においては、１枚のワイプスシート１０において、独立かつ閉鎖した外形線４１Ａ，４２Ａを有する図柄部４１，４２が複数存在しているが、デザイン性及び拭き取り性を考慮して、少なくとも１つの図柄部４１，４２が存在していればよい。また、ワイプスシート１０ごとに異なるデザインの図柄域４０を有することによって、使用者が複数のワイプスシート１０が積層された状態で収容された収容容器（ディスペンサー）から取り出すときに、次々に異なるデザインを有するものが引き出されることになるので、使用者は楽しみながらポップアップすることができる。
【００６６】
図４を参照すると、使用者が、ワイプスシート１０を使用する前に、第１方向Ｘにおける両側をそれぞれ手８，９で掴んで引っ張って、繊維どうしの絡合を解すことによってワイプスシート１０の横幅を拡げて使用することがある。特に、インドネシア等の東南アジア諸国においては、ワイプスシートに限らず、ウエットティッシュやキッチンシートを使用する場合であっても、シートを引き延ばすように引っ張って、シート強度を確かめるとともに、シート面積を拡げて利用することがある。
【００６７】
図５（ａ）を参照すると、ワイプスシート１０が第１方向Ｘへ引っ張られることによって、図柄域４０のみならずそれ以外の領域においても繊維の絡合が解けて、ワイプスシート１０全体の第１方向Ｘにおける寸法（幅寸法）Ｗ１が大きくなる。具体的には、第１方向Ｘの引張力Ｆ１，Ｆ２が作用することによって、ワイプスシート１０の幅寸法Ｗ２は、引っ張られる前の幅寸法Ｗ１の１．１〜１．５倍の大きさを有する。
【００６８】
図３（ｂ）及び図５（ｂ）を参照すると、図柄域４０を形成する凹状ライン１８は、繊維の交絡によって形成されており柔軟かつ変形容易であるから、引張力Ｆ１，Ｆ２が作用することによって、繊維の絡合が解されて凹状ライン１８全体において第１方向Ｘにおける線幅が拡げられ、第１〜第４図柄部４１−４４は、その外形寸法が大きくなる。具体的には、ワイプスシート１０が、ウエット状態において、第１方向Ｘへ５％伸長された状態における第１部分８１の幅寸法Ｗ４は、引っ張られる前の第１部分８１の幅寸法Ｗ３の１．２〜２．０倍であり、第１方向Ｘへ３０％伸長された状態における第１部分８１の幅寸法Ｗ４は、引っ張られる前の第１部分８１の幅寸法Ｗ３の１．５〜２．５倍である。
【００６９】
このように、第１方向Ｘへ引っ張ることによって、凹状ライン１８の幅寸法Ｗ３，Ｗ４が拡げられてその外形寸法が大きくなるので、拭き取り面積が大きくなり、拭き取り性がより向上する。また、従来のワイプスシートのように、凹状ラインがエンボス加工によって賦形された場合には繊維が硬化して一部フィルム化することによって引張力Ｆ１，Ｆ２が作用したときに肉薄の底部１８ａが伸長されずに破断するおそれがあるが、凹状ライン１８は繊維の交絡によって賦形されて伸長性を有することから、第１方向Ｘへ引っ張ったときに底部１８ａにおいて繊維の絡合が解されながら次第に幅寸法Ｗ３，Ｗ４が拡げられ、底部１８ａの一部が破断するのを抑制することができる。
【００７０】
凹状ライン１８の底部１８ａは、ワイプスシート１０の他の部分に比べて肉薄であって、かつ、低密度領域５１であるから比較的に小さい引張力であっても繊維の絡合が解かれて伸長され易いといえる。また、凹状ライン１８の両側壁部１８ｂには高密度領域５２が位置して低密度領域５１に比べて伸長し難いことから、底部１８ａが伸長されても凹状ライン１８全体が型崩れすることはない。
【００７１】
「第１方向Ｘに引っ張る力」は、図示例のように、使用者がワイプスシート１０の第１方向Ｘにおける両側を把持して相反する方向へ引っ張り合うことによって生じる力Ｆ１，Ｆ２のほかに、ワイプスシート１０の一方側部を固定した状態で、他方側部を一方側部と離間する方向へ引っ張る場合を含む。
【００７２】
また、凹状ライン１８の幅寸法Ｗ３，Ｗ４が拡げられることによって、第１〜第４図柄部４１−４４の輪郭がより明瞭に表れて視認性が向上する。図示していないが、例えば、ワイプスシート１０を第１方向Ｘへ引っ張られる前においては凹状ライン１８の幅寸法Ｗ３が比較的に小さくその外形が視認し難い場合や全体外形が幅狭な印象を与える歪なデザインである場合において、ワイプスシート１０を第１方向Ｘへ引っ張ることによって、その外形がはっきりとして視認され易くなったり、幅狭で歪な印象を与えていたデザインが拡げられて、均整のとれた形状に変化させることができる。
【００７３】
第２部分８２は第２方向Ｙへ繊維配向されているのに対し、第１部分８１においては、第１方向Ｘと第２方向Ｙとの繊維が配向されていることから、ワイプスシート１０を第１方向Ｘへ引っ張ったときに、第２部分８２の第２方向Ｙにおける幅寸法に比べてその第１方向Ｘにおける幅寸法が大きくなるといえる。第１部分８１の第１方向Ｘにおける幅寸法が拡げられることによって各図柄部４１−４４の外形がより明瞭になるとともに、第１部分８１はその形状が保持されるので、各図柄部４１−４４の全体形状の均整が大きく乱れることはない。また、図柄４１Ｂ，４２Ｂが第２方向Ｙが上下であるキャラクターデザイン等である場合には、乳幼児等が好むような、その横幅が拡がって丸みのある形状に変化させることができる。
【００７４】
図６（ａ）を参照すると、ワイプスシート１０を第１方向Ｘへ引っ張る前の状態において、中間繊維層２３に位置するパルプ繊維２８は、疎水性層からなる第１面１１の外部に露出されていない。ワイプスシート１０が抗菌作用等を有する薬液等の含浸液を含浸したウエットな状態において、パルプ繊維２８は、含浸液を吸収保持する吸収層を構成するものであるから、このように、疎水性層に囲まれて外部に露出しないことによって、外気に曝されることはなく、乾燥を防いで薬液の蒸発を抑制することができる。
【００７５】
図６（ｂ）を参照すると、ワイプスシート１０を第１方向Ｘへ少なくとも３０％引張した後の状態において、凹状ライン１８の底部１８ａを構成する繊維の絡合が解かれて中間繊維層２３に位置するパルプ繊維２８の一部が、第１繊維層２１を構成する繊維の繊維間隙間を通過して第１面１１から外部に露出されている。このように、使用時に、使用者がワイプスシート１０を第１方向Ｘへ引っ張って拡げることによって、凹状ライン１８が幅広となり、かつ、パルプ繊維２８の一部が外部に露出されるので、底部１８ａが被拭き取り面に接触したときに、第１繊維層２１の繊維間隙に予め保持されていた含浸液とともに、パルプ繊維２８に吸収された含浸液を利用して効果的かつ衛生的に汚れを拭き取ることができる。
【００７６】
このように、使用する際に、凹状ライン１８において、疎水性面である第１面１１の表面をパルプ繊維及び他の親水性繊維を第１面１１の表面に露出させ、第１面１１を疎水性面から親水性面へと変えることによって、凹状ライン１８における拭き取り性が向上する。
【００７７】
なお、使用前におけるパルプ繊維２８の乾燥を防止するために、第１面１１を形成する第１繊維層２１の表面にシリコン等の撥水剤を塗布して撥水処理を施してもよい。
【００７８】
第１面１１の表面が撥水性を有する場合には、平滑性が向上するので、収容容器からウエット状態のワイプスシート１０をポップアップする際に、次のワイプスシート１０が一緒に引き出される（ズル）を抑制することができる。また、ワイプスシート１０の第１面１１に凹状ライン１８が形成されていることによって、積層状態で互いに当接するワイプスシート１０どうしの対向面の接触面積が減少するので、よりズルを抑制して引き出し易くなる。
【００７９】
また、収容容器からワイプスシート１０を取り出すときには、ズルを抑制するために、収容容器の分与開口の開口縁に摺接させながら引き出すことになるので、図４に示すように、使用者自らが第１方向Ｘへ引っ張る行為を行わない場合であっても、収容容器から取り出す際に、第１方向Ｘへワイプスシート１０が引っ張れることによって凹状ライン１８の繊維の絡合が解けて幅寸法を大きくしたり、中間繊維層２３のパルプ繊維２８を露出させたりすることができる。
【００８０】
ワイプスシート１０は、ウエット状態において、第１方向Ｘへ引っ張ったときの５％伸長時の引張強度が０．０５〜１．０Ｎ／２５ｍｍ、好ましくは、０．１５〜０．５Ｎ／２５ｍｍである。第１方向Ｘにおける引張強度が０．０５Ｎ／２５ｍｍ未満の場合には、引張強度が低すぎて、製造工程において機械方向へ搬送されたときに底部１８ａの一部が破断したり、使用時に第１方向Ｘへ引っ張ったときに底部１８ａが伸び過ぎてシート形状が崩れてしまったり、一部が破断したりするおそれがある。第１方向Ｘにおける引張強度が１．０Ｎ／２５ｍｍを超える場合には、引張強度が高くなり過ぎて、使用者が使用前に軽く引っ張る程度の力では、底部１８ａが伸び難くなり凹状ライン１８の幅寸法Ｗ４が拡がらなくなる。
【００８１】
また、ウエット状態において、ワイプスシート１０を第１方向Ｘへ引っ張ったときの最大伸度は、２．０〜３．０倍、第２方向Ｙへ引っ張ったときの最大伸度は、１．２〜１．８倍である。ここで、ワイプスシート１０の最大伸度とは、測定前の幅寸法Ｗ１の大きさを１．０倍としたものであって、例えば、ワイプスシート１０の幅寸法Ｗ１が１００ｍｍであって引っ張って破断したときの幅寸法Ｗ２が２００ｍｍとなった場合には、最大伸度は２．０倍となる。
【００８２】
＜最大引張強度、最大伸度及び引張時の凹状ラインの幅寸法の測定方法＞
図７を参照すると、ワイプスシート１０に薬剤を含浸（保水率２５０％）させた後に、ワイプスシート１０を第１方向Ｘの中央に第２図柄部４２が位置するように切断具でカットして、第１方向の長さ寸法１５０ｍｍ×第２方向Ｙの長さ寸法２５ｍｍの短冊状の試験片９３とした。試験片９３の第２図柄部４２を形成する凹状ライン１８のうち、第１部分８１の両対向縁（両側壁部１８ｂ，１８ｂ）の一部には、それらに沿って赤ペンで目印Ｔ１，Ｔ２を付し、測定する前に目印Ｔ１，Ｔ２間の離間距離Ｒ１を定規で測定した。
【００８３】
次に、引張試験機（島津製作所（株）製、オートグラフ、型式ＡＧＳ−１ｋＮＧ）を使用して、固定チャック９１と可動チャック９２との間に第１方向Ｘが縦方向となるように試験片９３を配置し、チャック間距離Ｌ１が１００ｍｍ、引張速度が１２０ｍ／ｍｉｎの条件下で最大引張強度及び最大伸度を測定した。第２方向Ｙにおける最大伸度についても、試験片９３をその第２方向Ｙが試験機の縦方向（上下方向）となるように配置して同様の方法で測定した。
【００８４】
可動チャック９２を固定チャック９１と離間する方向へ移動させて、チャック間距離Ｌ１が１０５ｍｍ（伸度５％）時における最大引張強度（Ｎ／２５ｍｍ）を求めた。また、チャック間距離Ｌ１を拡げて試験片が破断したときの引張強度を最大引張強度、伸度を最大伸度（倍）とした。さらに、チャック間距離Ｌ１が１３０ｍｍ（伸度３０％）時の第１部分８１の目印Ｔ１，Ｔ２の離間距離Ｒ２を定規で測定し、離間距離比（Ｒ２／Ｒ１）によって、第１部分８１の最大伸度（倍）を算出した。なお、ワイプスシートがドライ状態においても、同様の測定方法によって、第１方向Ｘ及び第２方向Ｙの最大伸度、最大引張強度を求めることができる。
【００８５】
＜第１面側に露出したパルプ繊維の確認方法＞
ワイプスシート１０を第１方向Ｘへ引っ張ったときに、第１面１１の表面にパルプ繊維２８の一部が露出することを確認する方法としては、例えば、上記の引張試験機を使用し試験片９３を第１方向Ｘへ引張し、３０％引張（伸度）した時点でチャック９１，９２から取り外して、第１部分８１を形成する凹状ライン１８を電子顕微鏡で観察することによって確認することができる。
【００８６】
主として疎水性繊維から構成された第１繊維層２１からなる第１面１１が疎水性面から親水性面へ変わったというためには、少なくとも第１面１１においてパルプ繊維（親水性繊維）２８の露出した部分の総繊維量（面積）が、第１面１１を構成するパルプ繊維２８と疎水性繊維とを含めた総繊維量（面積）の２０％以上である場合を意味する。
【００８７】
＜ワイプスシートの製造方法＞
本発明に係るワイプスシート１０は、この種の分野において通常使用されるワイプス用の繊維不織布シートと同様の製造装置、例えば、繊維ウエブ形成部、繊維ウエブに水を含ませる水供給部、繊維を交絡して再配列するための水流噴射部（工程）、脱水部（脱水機）、乾燥部（乾燥機）を含む製造装置を使用することができる。ワイプスシート１０の製造装置、製造工程の一部について、以下に説明する。
【００８８】
まず、ワイプスシート１０の基材として、各種公知の製法によって製造された繊維集合体を積層してなる繊維ウエブを形成する。繊維ウエブは、例えば、カード法で形成された繊維集合体、エアレイド法で形成された繊維集合体、湿式法で形成された繊維集合体、スパンボンド法、メルトブローン法で形成された繊維集合体等を積層して形成することができる。本実施形態においては、繊維ウエブは、ワイプスシート１０の第１及び第２繊維層２１，２２に対応したカード法で形成された繊維集合体間に中間繊維層２３に対応したエアレイド法で形成された繊維集合体を介在させて積層した複層構造を有する。
【００８９】
繊維ウエブは、繊維交絡及び図柄域４０を形成する凹状ライン１８に対応した凹状部分を賦形するための水流噴射（ウォータージェット）工程の前に、予め水を含ませておくことが好ましい。水流噴射工程において繊維を交絡する前に繊維ウエブに水を含ませておくことによって、繊維間隙が水で埋められて、繊維密度が高くなる。それによって、水流噴射工程において、水流によって繊維が飛散して繊維ウエブの繊維密度が不均一になり、繊維ウエブの地合いが乱れるのを抑制することができる。このように、事前に水を含ませる場合には、繊維間隙を水で埋めることが目的なので、繊維が移動する程の水圧を要さず、スプレーによって水を吹き掛けてもよい。
【００９０】
図８は、繊維ウエブ１０１に図柄域４０の凹状ライン１８に対応した凹状部分１２２を形成する水流噴射工程１００の斜視図である。水流噴射工程１００は、機械方向ＭＤへ搬送された繊維ウエブを外周面に保持するサクションドラム１０６と、サクションドラム１０６の外周面上に位置する繊維ウエブに水流を噴射するノズルプレート１０７とを含む。繊維ウエブ１０１は、サクションドラム１０６の外周面上においてノズルプレート１０７と対向する第１面１０１ａと、その反対側に位置するサクションドラム１０６の外周面と対向する第２面１０１ｂとを有する。
【００９１】
サクションドラム１０６は、線状凸部１２０を有する賦形支持体１０６ａを備える。賦形支持体１０６ａの外周面は複数の吸引管１２１を有するメッシュ状であって、賦形支持体１０６ａを軸線Ｋ１周りに回転させながら、繊維ウエブ１０１を賦形支持体１０６ａに吸引して外周面に保持させつつ、下流側搬送手段（図示せず）を介して脱水機（図示せず）へ搬送する。ノズルプレート１０７は、サクションドラム１０６の外周面に保持された繊維ウエブ１０１の第１面１０１ａ側へ向かって水を噴射して、繊維どうしを交絡させるとともに賦形支持体１０６ａの外周面に位置する線状凸部１２０に押し付けることによって、繊維ウエブ１０１の第２面１０１ｂ側には凹凸パターンが付与される。線状凸部１２０は、賦形支持体１０６ａの外周面と一体又は別体に形成されている。
【００９２】
図示していないが、脱水機の搬送ベルトによってさらに機械方向ＭＤへ搬送された繊維ウエブ１０１は、ドライ状態で使用するワイプスシートとして使用される場合には乾燥機に搬送され、一方、ウエット状態で使用するワイプスシート１０して使用される場合には、乾燥機を経て又は経ずに、薬剤や香料を含む液体を含浸するための液供給手段へ搬送される。繊維ウエブはそれらの工程を経た後に、切断手段によって適当な大きさにカットされる。なお、乾燥機においては、繊維ウエブ１０１を構成する熱融着性繊維の一部が熱融着して、シート強度が向上する。
【００９３】
ノズルプレート１０７においては、サクションドラム１０６の賦形支持体１０６ａの外周面に保持された繊維ウエブ１０１の第１面１０１ａに対して交差方向ＣＤに並ぶ複数のノズルが水を噴射する。繊維ウエブ１０１は、サクションドラム１０６の上流に位置するサクションドラム（図示せず）において予備的に繊維交絡がされて繊維どうしが弱い力で交絡されて全体として平坦状であるところ、外周面の吸引管１２１から吸引されながらノズルプレート１０７から噴射された水流によって繊維ウエブ１０１を賦形支持体１０６ａの外周面に位置する線状凸部１２０に押し当てられる。
【００９４】
図９（ａ）は、サクションドラム１０６において、水流が噴射される前の線状凸部１２０上の繊維ウエブ１０１の拡大図、図９（ｂ）サクションドラムにおいて、水流が噴射された後の線状凸部１２０上の繊維ウエブ１０１の拡大図である。
【００９５】
図９（ａ），（ｂ）を参照すると、線状凸部１２０においては繊維が吸引されていないことから、線状凸部１２０上に位置していた繊維が周辺に移動するように再配列されて線状凸部１２０に対応する繊維ウエブ１０１の第２面１０１ｂ側には、第１面１０１ａ側へ凹となる凹状部分１２２が形成される。
【００９６】
線状凸部１２０は、ワイプスシート１０の第１、第２及び第４図柄部４１，４２，４４に対応した異なるデザインを有する第１、第２及び第３線状凸部１２０ａ，１２０ｂ，１２０ｃを有する。線状凸部１２０は、賦形支持体１０６ａの外周面から突出した部分であるから、図示した態様のほかに、キャラクターや企業ロゴ等の様々なデザインを採用して繊維ウエブ１０１に賦形することができる。
【００９７】
線状凸部１２０は、賦形支持体１０６ａの外周全体に配置されており、製造されたすべてのワイプスシート１０にも少なくとも１つの独立かつ閉鎖したデザインを有する図柄部が配置されるようなパターンを有している。また、線状凸部１２０の高さは、賦形するデザインに応じてその延在方向において線幅及び高さが変化するように設計されている。
【００９８】
繊維ウエブ１０１のうちの線状凸部１２０上に位置する肉薄部分（凹状部分１２２の底部）１２４では、水流によって周辺に繊維が移動し、かつ、吸引管１２１によって吸引されていないことから、周辺域に比べて繊維密度が低くなっている。
【００９９】
一方、肉薄部分１２４を囲むようにその外周縁に位置する第１部分１３１には線状凸部１２０上から移動した繊維が溜まって比較的に繊維密度が高くなっている。また、第１部分１３１からさらに外方に延びる第２部分１３２においては、肉薄部分１２４よりも繊維密度が高く、かつ、第１部分１３１よりも繊維密度が低くなっている。
【０１００】
また、繊維ウエブ１０１の中間繊維層に位置するパルプ繊維は、上下層に位置する熱融着繊維に比して繊維長が短く、繊維集合体において繊維どうしの絡合が弱いことから水流によって移動しやすくなっている。したがって、線状凸部１２０上に位置する肉薄部分１２４からなる低密度領域においては、パルプ繊維が周辺に飛ばされるように移動してパルプ繊維の質量が第１及び第２部分１３１，１３２に比べて低くなっている。
【０１０１】
かかる水流噴射工程によって繊維ウエブ１０１に繊維の絡合によって形成されたデザイン模様を賦形することができ、繊維ウエブ１０１の凹状部分１２２、第１部分１３１及び第２部分１３２が、それぞれ、ワイプスシート１０の凹状ライン１８（低密度領域５１），高密度領域５２及び中密度領域５３に相当する。
【０１０２】
従来、スパンレース繊維不織布の製造工程においては、サクションドラムの賦形支持体に形成された凹状部分に繊維を押し込むようにして凹状パターンを賦形する方法がある。かかる製法においては、凹状部分において繊維が吸引されるので、繊維が存在しないか、若しくは、凹状部分の延在方向へ延びる大きな開孔が形成される。したがって、例えば、本実施形態に係る図柄域４０のような繊維ウエブに独立かつ閉鎖した図柄を賦すために、凹状部分を独立かつ閉鎖した形状に形成した場合には、凹状部分にその延在方向へ連続する開孔が形成され、製造工程中に凹状部分に囲まれた部分が抜け落ちるおそれがある。
【０１０３】
本製造方法によれば、サクションドラム１０６の賦形支持体１０６ａの外周面に配置された線状凸部１２０によって繊維が再配向されて繊維ウエブ１０１の第２面１０１ｂ側に凹状部分１２２が賦形されることから、線状凸部１２０に位置する肉薄部分１２４にはその延在方向へ比較的に大きな開孔が形成されることなく、製造工程中において線状凸部１２０に囲まれた部分が抜け落ちることはない。このように、水流に向かって凸となる線状凸部１２０によって繊維ウエブ１０１を賦形することによって、繊維の交絡のみによって独立かつ閉鎖的な様々なデザイン、例えば、キャラクター、文字、図形、記号、それらの組み合わせ等を様々なサイズで採用することができる。
【０１０４】
ワイプスシート１０の製造方法の一例として、水流交絡によるスパンレース製法を例示したが、流体処理による繊維交絡によって凹状ライン１８を形成することができる限りにおいて、水のほかに、空気、水蒸気等の流体による製法を採用することもできる。
【０１０５】
本明細書においては、ワイプスシート１０としての技術的効果について重点的に述べたが、本発明に係る繊維不織布シートは、ワイプス用に限らず、生理用ナプキンや使い捨ておむつ、母乳パッド等の衛生用品の構成材料としても使用しうる。特に、全体として柔軟なデザイン性に優れたものであって、衛生用品のうちの肌に接するシート材料として好適に用いることができる。
【０１０６】
ワイプスシート１０を構成する各構成部材には、特に明記されていない限りにおいて、本明細書に記載されている材料のほかに、この種の分野において通常用いられている、各種公知の材料を制限なく用いることができる。また、本明細書及び特許請求の範囲において使用されている、「第１」、「第２」及び「第３」の用語は、同様の要素、位置等を単に区別するために用いている。
【符号の説明】
【０１０７】
１０  繊維不織布シート（ワイプスシート）
１１  第１面
１２  第２面
１８  凹状ライン
４０  図柄域
４１  第１図柄部（図柄部）
４２  第２図柄部（図柄部）
４１Ａ，４２Ａ  外形線
４１Ｂ，４２Ｂ  図柄
６１  幅広部分
６２  幅狭部分
７０  スリット
８１  第１部分
８２  第２部分
Ｐ  第１仮想線
Ｑ  第２仮想線
Ｘ  第１方向
Ｙ  第２方向
Ｚ  厚さ方向
【図１】
2019119953.tif 000003
【図２】
2019119953.tif 000004
【図３】
2019119953.tif 000005
【図４】
2019119953.tif 000006
【図５】
2019119953.tif 000007
【図６】
2019119953.tif 000008
【図７】
2019119953.tif 000009
【図８】
2019119953.tif 000010
【図９】
2019119953.tif 000011